(57)【要約】【課題】空気の流動方向に沿って直列に配置された３つ以上の熱交換器を備えたものにおいて、これらの熱交換器のすべての清掃を行うことができる作業機械の冷却装置の提供。【解決手段】エアコンコンデンサ２７とトルコンクーラ２９とオイルクーラ２４およびラジエータ２５のそれぞれとが空気の流動方向Ａに並べられてなる熱交換器の列において、列の一端に位置するオイルクーラ２４とラジエータ２５を車体フレーム３に固定した枠体２６に固定し、トルコンクーラ２９に固定したフレーム３０をヒンジ３０ａを介して枠体２６に取付け、エアコンコンデンサ２７に固定したフレーム２８をヒンジ２８ａを介してフレーム３０に取付けて、エアコンコンデンサ２７をトルコンクーラ２９から離れる方向へ回動可能にし、トルコンクーラ２９をオイルクーラ２４とラジエータ２５から離れる方向へ回動可能にした。【選択図】図３
2006183399.tif 000002
【特許請求の範囲】
【請求項１】
空気を流動させるファンと、前記空気の流動方向に沿って直列に配置された３つ以上の熱交換器とを備えた作業機械の冷却装置において、
互いに隣接する３つ以上の熱交換器のうち、隣り合う熱交換器における少なくとも一方を他方に対して回動可能に設けたことを特徴とする作業機械の冷却装置。
【請求項２】
請求項１記載の発明おいて、
前記隣接する３つ以上の熱交換器のうち、隣り合う２つの以上の熱交換器により一組の熱交換器体を形成し、少なくとも前記熱交換器体を他方の熱交換器に対して回動可能に設けたことを特徴とする作業機械の冷却装置。
【請求項３】
請求項１または２記載の発明において、
前記熱交換器のそれぞれを隣接する他方の熱交換器に対して回動可能に設け、この隣接する熱交換器同士を一体として回動可能にする一体化手段を備えたことを特徴とする作業機械の冷却装置。
【請求項４】
請求項１から３のいずれかに記載の発明において、
前記回動可能に設けた熱交換器の回動中心を、前記作業機械の機械室を構成する左右両側部のうちの一方の側部付近に設定したことを特徴とする作業機械の冷却装置。
【請求項５】
請求項１から４のいずれかに記載の発明において、
前記ファンを、前記熱交換器に対して回動可能に設けたことを特徴とする作業機械の冷却装置。
【発明の詳細な説明】
【技術分野】
【０００１】
本発明は、ローダやショベルなどの作業機械の機械室内に設置され、空気を流動させるファンと、空気の流動方向に沿って直列に配置された３つ以上の熱交換器とを備える作業機械の冷却装置に関する。
【背景技術】
【０００２】
作業機械の冷却装置としては、例えば特許文献１に示される従来技術がある。この従来技術は、複数の熱交換器と、これらの熱交換器を冷却するために空気を流動させるファンとを備えている。複数の熱交換器には、エアコンコンデンサ、オイルクーラ、ラジエータが含まれている。
【０００３】
ラジエータとオイルクーラは、空気の流動方向に直交する方向に並列に配置されて、作業機械の機械室内に固定されている。エアコンコンデンサと、ラジエータおよびオイルクーラのそれぞれとは、空気の流動方向に沿って直列に配置されている。エアコンコンデンサは、回動可能に設けられている。
【０００４】
このように構成された従来技術では、ラジエータやオイルクーラを清掃する際、エアコンコンデンサをラジエータおよびオイルクーラから離れる方向へ回動させることによって、エアコンコンデンサとラジエータおよびオイルクーラとの間に、それぞれの清掃を行うための空間を形成することができる。
【特許文献１】特開２００２−３７１８４４公報
【発明の開示】
【発明が解決しようとする課題】
【０００５】
作業機械の冷却装置には、前述の従来技術のように２つの熱交換器が空気の流動方向に沿って直列に配置された冷却装置の他に、３つ以上の熱交換器が空気の流動方向に沿って直列に配置された冷却装置がある。この冷却装置に前述の従来技術を適用した場合、直列に配置された３つ以上の熱交換器のうち、最も外側に位置する熱交換器のみが回動可能に設けられ、その他の熱交換器は固定されたものになる。このため、直列配置された熱交換器のうち最も外側に位置する熱交換器と、この熱交換器に対面する熱交換器しか清掃作業を行うことができない。
【０００６】
本発明は、前述のことを考慮してなされたものであり、その目的は、空気の流動方向に直列に配置された３つ以上の熱交換器を備えたものにおいて、これら熱交換器のすべての清掃を行うことができる作業機械の冷却装置を提供することにある。
【課題を解決するための手段】
【０００７】
〔１〕  本発明は、上述の目的を達成するために、空気を流動させるファンと、前記空気の流動方向に沿って直列に配置された３つ以上の熱交換器とを備えた作業機械の冷却装置において、互いに隣接する３つ以上の熱交換器のうち、隣り合う熱交換器における少なくとも一方を他方に対して回動可能に設けたことを特徴とする。
【０００８】
このように構成した本発明では、空気の流動方向に沿って直列に配置された３つ以上の熱交換器のうちの隣接する熱交換器のうち、一方の熱交換器を清掃する場合に、清掃する熱交換器と、この熱交換器に隣接する他方の熱交換器とのうちの少なくとも一方を回動させることによって、清掃する熱交換器とこの熱交換器に隣接する他の熱交換器との間に、清掃を行うための空間を形成することができる。これにより、空気の流動方向に沿って直列に配置された３つ以上の熱交換器のすべての清掃を行うことができる。
【０００９】
〔２〕  本発明は、〔１〕に記載の発明において、
前記隣接する３つ以上の熱交換器のうち、隣り合う２つの以上の熱交換器により一組の熱交換器体を形成し、少なくとも前記熱交換器体を他方の熱交換器に対して回動可能に設けたことを特徴とする作業機械の冷却装置。
【００１０】
〔３〕  本発明は、〔１〕または〔２〕記載の発明において、前記熱交換器のそれぞれを隣接する他方の熱交換器に対して回動可能に設け、この隣接する熱交換器同士を一体として回動可能にする一体化手段を備えたことを特徴とする。
【００１１】
〔４〕  本発明は、〔１〕から〔３〕のいずれかに記載の発明において、前記回動可能に設けた熱交換器の回動中心を、前記作業機械の機械室を構成する左右両側部のうちの一方の側部付近に設定したことを特徴とする。
【００１２】
〔５〕  本発明は、〔１〕から〔４〕のいずれかに記載の発明において、前記ファンを、前記熱交換器に対して回動可能に設けたことを特徴とする。
【発明の効果】
【００１３】
前述したように、本発明によれば、空気の流動方向に沿って直列に配置された３つ以上の熱交換器のうちの隣接する熱交換器のうち、一方の熱交換器を清掃する場合に、清掃する熱交換器と、この熱交換器に隣接する他方の熱交換器とのうちの少なくとも一方を回動させることによって、清掃する熱交換器とこの熱交換器に隣接する他の熱交換器との間に、清掃を行うための空間を形成することができる。これにより、空気の流動方向に沿って直列に配置された３つ以上の熱交換器のすべての清掃を行うことができる。したがって、清掃性の向上できる。
【発明を実施するための最良の形態】
【００１４】
本発明の作業機械の冷却装置の一実施形態について図１〜５を用いて説明する。
【００１５】
図１は、本発明に係る冷却装置の一実施形態が備えられる作業機械の一例であるホイールローダを示す側面図、図２は、図１に示すホイールローダの機械室内の状態を示す側面図、図３は、図２のIII−III断面図、図４は、図３に示すエアコンコンデンサおよびファンを回動させた状態を示す平面図、図５は、図３に示すエアコンコンデンサとトルコンクーラを一体化して回動させた状態を示す平面図である。
【００１６】
図２，３に示す本実施形態の冷却装置２０は、例えば図１に示すホイールローダ１に備えられるものである。ホイールローダ１は、車体２と、この車体２の前部に結合された作業機４とを備えている。車体２は、その本体である車体フレーム３と、車体２のほぼ中央に配置され車体フレーム３に固定される運転室５と、運転室５の後方に配置され車体フレーム３に固定される機械室６とを備えている。
【００１７】
本実施形態である冷却装置２０は、図２，３に示すように、ホイールローダ１の機械室６内に設置されている。機械室６内において、７はエンジンであり、８はエンジン７を設置するスペース９と冷却装置２０を設置するスペース１０とを仕切る隔壁である。また、１１は機械室６の左側壁にヒンジ１１ａを介して左方向（矢印Ｌ方向）へ回動可能に取付けられ機械室６の左側部の開閉を可能にするメンテナンス用ドアであり、１２は機械室６の右側壁にヒンジ１２ａを介して右方向（矢印Ｒ方向）へ回動可能に取付けられ機械室６の右側部の開閉を可能にするメンテナンス用ドアである。１３は、機械室６の後端に形成された開口部１５を覆う開閉カバーである。この開閉カバー１３は、機械室６の上板６ａに上方向へ回動可能に取付けられており、これにより、機械室６の後端を開閉できるようになっている。
【００１８】
本実施形態である冷却装置２０は、空気を流動させるファン２１と、このファン２１が流動させた空気により冷却される複数の熱交換器、例えばインタークーラ３１、オイルクーラ２４、ラジエータ２５、トルコンクーラ２９、エアコンコンデンサ２７とを備えている。
【００１９】
オイルクーラ２４とラジエータ２５は、図３に示すように、空気の流動方向（矢印Ａ方向）に直交する方向、例えばホイールローダ１の左右方向に沿って並列に配置してある。インタークーラ３１とトルコンクーラ２９は、図２に示すように、オイルクーラ２４およびラジエータ２５の前面側において、空気の流動方向（矢印Ａ方向）に直交する方向、例えばホイールローダ１の上下方向に沿って並列に配置してある。
【００２０】
トルコンクーラ２９の前面側には、図２，３に示すように、エアコンコンデンサ２７を配置してある。つまり、冷却装置２０では、オイルクーラ２４およびラジエータ２５のそれぞれと、エアコンコンデンサ２７と、トルコンクーラ２９とを空気の流動方向（矢印Ａ方向）に沿って直列に配置してある。なお、エアコンコンデンサ２７以外の熱交換器、すなわちオイルクーラ２４、ラジエータ２５、トルコンクーラ２９により暖められた空気の温度は、エアコンコンデンサ２７を冷却するには高すぎるので、エアコンコンデンサ２７は、トルコンクーラ２９、オイルクーラ２４およびラジエータ２５のいずれの熱交換器よりも空気の流れの上流に配置してある。
【００２１】
また、ファン２１は、オイルクーラ２４およびラジエータ２５の後方に配置してある。このファン２１は、モータ２２により前記矢印Ａ方向へ空気を流動させるように駆動される。
【００２２】
また、冷却装置２０では、隣接する熱交換器の少なくとも一方を回動可能に設けてある。例えば、オイルクーラ２４およびラジエータ２５を固定し、これらのオイルクーラ２４およびラジエータ２５に隣接するトルコンクーラ２９をそれらに対して回動可能に設け、さらに、トルコンクーラ２９に隣接するエアコンコンデンサ２７をトルコンクーラ２９に対して回動可能に設けてある。具体的には、車体フレーム３に固定した枠体２６にオイルクーラ２４およびラジエータ２５を取付け、この枠体２６にヒンジ３０ａを介してトルコンクーラ２９が取付けられたトルコンクーラ用フレーム３０を取付け、このフレーム３０にヒンジ２８ａを介してエアコンコンデンサ２７が取付けられたエアコンコンデンサ用フレーム２８が取付けてある。
【００２３】
また、インタークーラ３１に取付けられたインタークーラ用フレーム３２も、図示しないがヒンジを介して枠体２６に取付けてある。
【００２４】
また、ファン２１およびモータ２２を支持するファン用フレーム２３も、ヒンジ２３ａを介して枠体２６に取付けてある。
【００２５】
また、冷却装置２０では、回動可能に設けられた熱交換器であるトルコンクーラ２９およびエアコンコンデンサ２７の回動中心、すなわちヒンジ２８ａ，３０ａの回動中心を、ホイールローダ１の機械室６を形成する両側部の一方の側部付近、例えば右側部付近に設定してある。また、インタークーラ３１の回動中心も、機械室６の右側部付近に設定してある。
【００２６】
また、冷却装置２０は、それぞれが回動可能に設けられ互いに隣接する熱交換器、すなわちエアコンコンデンサ２７とトルコンクーラ２９を一組の熱交換器体として一体で回動可能にする一体化手段４０を備えている。この一体化手段４０は、エアコンコンデンサ用フレーム２８の左端部に固定されるフック４０ａと、トルコンクーラ用フレーム３０の左端部に固定されフック４０ａに係脱可能なラッチ４０ｂとからなる。
【００２７】
また、冷却装置２０は、トルコンクーラ２９をオイルクーラ２４およびラジエータ２５に対して固定可能なトルコンクーラ用固定手段４１を備えている。このトルコンクーラ用固定手段４１は、トルコンクーラ用フレーム３０の左側部に固定されるフック４１ａと、枠体２６の左側部に固定されフック４１ａに係脱可能なラッチ４１ｂとからなる。
【００２８】
また、冷却装置２０は、ファン２１をオイルクーラ２４およびラジエータ２５に対して固定可能にするファン用固定手段４２を備えている。このファン用固定手段４２は、ファン用フレーム２３の左側部に固定されるフック４２ａと、枠体２６の左側部に固定されフック４２ａに係脱可能なラッチ４２ｂとからなる。
【００２９】
また、冷却装置２０は、インタークーラ３１をオイルクーラ２４およびラジエータ２５に対して固定可能にするインタークーラ用固定手段４３を備えている。このインタークーラ用固定手段４３は、インタークーラ用フレーム３２の左側部に固定される図示しないフックと、枠体２６の左端部に固定されフックに係脱可能な図示しないラッチとからなる。
【００３０】
このように構成した冷却装置２０の清掃は、次のようにして行われる。
【００３１】
エアコンコンデンサ２７の表面や、インタークーラ３１の表面の清掃を行う場合は、作業者は、機械室６の左側部のメンテナンス用ドア１１を開けたのち、隔壁８とエアコンコンデンサ２７との間に形成されている空間内において、エアコンコンデンサ２７の表面やインタークーラ３１の表面の清掃を行う。
【００３２】
エアコンコンデンサ２７の裏面や、トルコンクーラ２９の表面の清掃を行う場合、作業者は、一体化手段４０のフック４０ａとラッチ４０ｂの係合を解除する。つまり、トルコンクーラ２９とエアコンコンデンサが一体化された状態を解除する。そして、エアコンコンデンサ２７を、トルコンクーラ２９から離間する方向、すなわち図４の矢印Ｂ方向へ回動させて、エアコンコンデンサ２７とトルコンクーラ２９との間に清掃を行うための空間を形成し、エアコンコンデンサ２７の裏面やトルコンクーラ２９の表面の清掃を行う。
【００３３】
トルコンクーラ２９の裏面の清掃を行う場合、作業者は、トルコンクーラ用固定手段４１のフック４１ａとラッチ４１ｂの係合を解除する。つまり、トルコンクーラ２９がオイルクーラ２４およびラジエータ２５に対して固定された状態を解除する。そして、トルコンクーラ２９を、オイルクーラ２４およびラジエータ２５から離れる方向、すなわち矢印Ｄ方向へ回動させて、トルコンクーラ２９と、オイルクーラ２４およびラジエータ２５のそれぞれとの間に清掃を行うための空間を形成し、トルコンクーラ２９の裏面の清掃を行う。
【００３４】
インタークーラ３１の裏面の清掃を行う場合、作業者は、インタークーラ用固定手段４３の図示しないフックとラッチの係合を解除する。つまり、インタークーラ３１がオイルクーラ２４およびラジエータ２５に対して固定された状態を解除する。そして、インタークーラ３１を、オイルクーラ２４およびラジエータ２５から離間する方向へ回動させて、インタークーラ３１とオイルクーラ２４およびラジエータ２５のそれぞれとの間に清掃を行うための空間を形成し、インタークーラ３１の裏面の清掃を行う。
【００３５】
オイルクーラ２４の表面や、ラジエータ２５の表面の清掃を行う場合、作業者は、トルコンクーラ用固定手段４１のフック４１ａとラッチ４１ｂの係合を解除する。また、インタークーラ用固定手段４３の図示しないフックとラッチの係合を解除する。
【００３６】
次に、トルコンクーラ２９を、オイルクーラ２４およびラジエータ２５から離れる方向、すなわち矢印Ｄ方向へ回動させて、トルコンクーラ２９と、オイルクーラ２４およびラジエータ２５のそれぞれとの間に清掃を行うための空間を形成する。また、インタークーラ３１を、オイルクーラ２４およびラジエータ２５から離間する方向へ回動させて、インタークーラ３１とオイルクーラ２４およびラジエータ２５のそれぞれとの間に清掃を行うための空間を形成する。そして、オイルクーラ２４の表面やラジエータ２５の表面の清掃を行う。
【００３７】
なお、エアコンコンデンサ２７の裏面やトルコンクーラ２９の表面の清掃を行わずに、オイルクーラ２４の表面等の清掃を行う場合、一体化手段４０のフック４０ａとラッチ４０ｂの係合を解除せずに、すなわち、トルコンクーラ２９とエアコンコンデンサ２７とを一体化させた状態のまま、トルコンクーラ用固定手段４１のフック４１ａとラッチ４１ｂの係合を解除する。そして、エアコンコンデンサ２７とトルコンクーラ２９を一組の熱交換器体としてまとめて回動させ、トルコンクーラ２９と、オイルクーラ２４およびラジエータ２５のそれぞれとの間に清掃を行うための空間を形成して、オイルクーラ２４の表面等の清掃を行う。
【００３８】
また、オイルクーラ２４の裏面等の清掃を行う場合や、ファン２１の清掃を行う場合、開閉カバー１３を上方向へ回動させたのち、ファン用固定手段４２のフック４２ａとラッチ４２ｂの係合を解除する。つまり、ファン２１がオイルクーラ２４およびラジエータ２５に対して固定された状態を解除する。そして、オイルクーラ２４やラジエータ２５から離れる方向、すなわち図４の矢印Ｃ方向へファン２１を回動させて、ファン２１とオイルクーラ２４およびラジエータ２５のそれぞれとの間に清掃を行うための空間を形成し、オイルクーラ２４およびラジエータ２５の裏面や、ファン２１の清掃を行う。
【００３９】
本実施形態である冷却装置２０によれば、次の効果を得られる。
【００４０】
冷却装置２０では、空気の流動方向に沿って直列に配置された３つの熱交換器のうちの隣接する熱交換器の組み合わせのすべてにおいて、すなわちエアコンコンデンサ２７とトルコンクーラ２９の組み合わせ、および、トルコンクーラ２９とオイルクーラ２４およびラジエータ２５のそれぞれとの組み合わせにおいて、一方の熱交換器を清掃する場合に、清掃する熱交換器と、この熱交換器に隣接する他方の熱交換器の少なくとも一方を回動させて、清掃する熱交換器とこの熱交換器に隣接する他方の熱交換器との間に清掃を行うための空間を形成することができる。これにより、空気の流動方向に沿って直列に配置された熱交換器、すなわちエアコンコンデンサ２７、トルコンクーラ２９、オイルクーラ２４およびラジエータ２５のすべてに対して清掃を行うことができ、したがって、清掃性の向上に貢献できる。
【００４１】
また、冷却装置２０では、ファン２１を回動可能に設けてあるので、オイルクーラ２４の裏面やラジエータ２５の裏面の清掃を行うことでき、この点でも、清掃性の向上に貢献できる。
【００４２】
また、冷却装置２０では、回動可能に設けた熱交換器、すなわちエアコンコンデンサ２７、トルコンクーラ２９およびインタークーラ３１のすべての回動中心を、ホイールローダ１の機械室６の右側部付近に設定した。これにより、機械室６の左側方から、すべての熱交換器に対する清掃作業を行うことができ、したがって、清掃作業の能率の向上に貢献できる。
【００４３】
また、冷却装置２０では、隣接する熱交換器の両方、例えばエアコンコンデンサ２７とトルコンクーラ２９のそれぞれを回動可能に設け、これらエアコンコンデンサ２７とトルコンクーラ２９を一体化可能な一体化手段４０を備えている。これにより、エアコンコンデンサ２７とトルコンクーラ２９とを一組の熱交換器体としてまとめて回動させることができ、この点でも、清掃作業の能率の向上に貢献できる。
【００４４】
なお、冷却装置２０は、空気の流動方向に沿って直列に配置する熱交換器の数を３つにした例であったが、本発明はこれに限るものではなく、４つ以上でもよい。
【００４５】
また、冷却装置２０は、空気の流動方向に沿って直列に配置した３つの熱交換器のうちの隣接する熱交換器のすべての組み合わせにおける少なくとも一方の熱交換器を回動可能に設けた例として、オイルクーラ２４とラジエータ２５を固定し、これらオイルクーラ２４およびラジエータ２５に隣接するトルコンクーラ２９を回動可能に設け、このトルコンクーラ２９に隣接するエアコンコンデンサ２７を回動可能に設けたものである。しかし、本発明はこれに限るものではない。例えば、エアコンコンデンサ２７を固定し、このエアコンコンデンサ２７に隣接するトルコンクーラ２９を回動可能に設け、このトルコンクーラ２９に隣接するオイルクーラ２４およびラジエータ２５を回動可能に設けてもよい。また、エアコンコンデンサ２７を回動可能に設け、このエアコンコンデンサ２７に隣接するトルコンクーラ２９を固定し、このトルコンクーラ２９に隣接するオイルクーラ２４およびラジエータ２５を回動可能に設けてもよい。また、すべての熱交換器を回動可能に設けてもよい。
【００４６】
また、冷却装置２０では、オイルクーラ２４およびラジエータ２５の後方にファン２１を配置した例であるが、本発明はこれに限るものではなく、エアコンコンデンサ２７の前方にファン２１を配置してもよい。この場合ファン２１は、エンジン７により駆動してもよい。
【図面の簡単な説明】
【００４７】
【図１】本発明に係る冷却装置の一実施形態が備えられる作業機械の一例であるホイールローダを示す側面図である。
【図２】図１に示すホイールローダの機械室内の状態を示す側面図ある。
【図３】図２のIII−III断面図である。
【図４】図３に示すエアコンコンデンサおよびファンを回動させた状態を示す平面図である。
【図５】図３に示すエアコンコンデンサとトルコンクーラを一体化して回動させた状態を示す平面図である。
【符号の説明】
【００４８】
１      ホイールローダ
２      車体
３      車体フレーム
６      機械室
１１    メンテナンス用ドア
１２    メンテナンス用ドア
１３    開閉カバー
１５    開口部
２０    冷却装置
２１    ファン
２２    モータ
２３    ファン用フレーム
２３ａ  ヒンジ
２４    オイルクーラ
２５    ラジエータ
２６    枠体
２７    エアコンコンデンサ
２８    エアコンコンデンサ用フレーム
２８ａ  ヒンジ
２９    トルコンクーラ
３０    トルコンクーラ用フレーム
３０ａ  ヒンジ
３１    インタークーラ
３２    インタークーラ用フレーム
４０    一体化手段
４１    トルコンクーラ用固定手段
４２    ファン用固定手段
４３    インタークーラ用固定手段
【図１】
2006183399.tif 000003
【図２】
2006183399.tif 000004
【図３】
2006183399.tif 000005
【図４】
2006183399.tif 000006
【図５】
2006183399.tif 000007